(57)【要約】  反復照明器具は、所望の方向に投射された、少なくとも２つの異なる照明像を交互に繰り返す。器具は、１以上の所望の像を再生するよう構成及び／又は重ねられたエッジ点灯フラットパネルを備える。各パネルは、透光性材料で作られ、任意選択的に、着色剤を含んでもよい。各エッジ点灯フラットパネルは、パネルの第２の平面と結合する光学素子（５０）を備える。光学素子（５０）は、像の所望の形状を画成するよう配置され、パネル内に届いた光を、パネルの第１の平面から出すよう構成される。各パネルは、光をパネルの光透過性エッジに投射する、独自の光源（４０）を有する。パネルの光源（４０）は、そのパネルの特定の光学素子のみを照らすか、選択的に照らす、発光ダイオード（ＬＥＤ）を備えることができる。【選択図】図１
2015515645.tif 000002
【特許請求の範囲】
【請求項１】
第１のエッジ点灯フラットパネルと、
第１のエッジ点灯フラットパネルに重ねられた第２のエッジ点灯フラットパネルと
を備える反復照明器具であって、
各々のエッジ点灯フラットパネルが透光性材料で形成されていて、第１の平面と、第１の平面と反対側でかつ第１の平面から離隔した第２の平面と、第２の平面と結合した光学素子とを含んでおり、
第１のエッジ点灯フラットパネルの光学素子が、第１のエッジ点灯フラットパネルの像の所望の形状を形成するとともにその第１の平面を通して第１のエッジ点灯フラットパネル内で配光される光を反射するように構成されており、
第２のエッジ点灯フラットパネルの光学素子が、第２のエッジ点灯フラットパネルの像の所望の形状を形成するとともにその第１の平面を通して第２のエッジ点灯フラットパネル内で配光される光を反射するように構成されている、反復照明器具。
【請求項２】
第１のエッジ点灯フラットパネルの光学素子が第２の像を完全には画成せず、第２のエッジ点灯フラットパネルの光学素子が第２の像を完全には画成せず、第１のエッジ点灯フラットパネルの光学素子によって形成された像が、第２のエッジ点灯フラットパネルの光学素子によって形成される像と組合せたときに、完全な第２の像を画成する、請求項１記載の反復照明器具。
【請求項３】
第１のエッジ点灯フラットパネルと視覚的に整列して配置された第３のエッジ点灯フラットパネルをさらに備えていて、
第３のエッジ点灯フラットパネルが透光性材料で形成されていて、第１の平面と、第１の平面と反対側でかつ第１の平面から離隔した第２の平面と、第２の平面と結合した光学素子とを含んでおり、第３のエッジ点灯フラットパネルの光学素子が、第３のエッジ点灯フラットパネルの像の所望の形状を形成するとともにその第１の平面を通して第３のエッジ点灯フラットパネル内で配光される光を反射するよう構成されている、請求項１記載の反復照明器具。
【請求項４】
第１のエッジ点灯フラットパネルの光学素子が第１の像を完全には画成せず、第３のエッジ点灯フラットパネルの光学素子が第１の像を完全には画成せず、第１のエッジ点灯フラットパネルの光学素子によって形成された像が、第３のエッジ点灯フラットパネルの光学素子によって形成される像と組合せたときに、完全な第１の像を画成する、請求項３記載の反復照明器具。
【請求項５】
第１のエッジ点灯フラットパネル及び第２のエッジ点灯フラットパネルと結合した光源をさらに備える、請求項１記載の反復照明器具。
【請求項６】
光源が、ＰＣＢ含有発光ダイオードのストリップを含む、請求項５記載の反復照明器具。
【請求項７】
第１のエッジ点灯フラットパネル、第２のエッジ点灯フラットパネル及び第３のエッジ点灯フラットパネルと結合した光源をさらに備える、請求項３記載の反復照明器具。
【請求項８】
光源が、第１及び第３のエッジ点灯フラットパネル又は第１及び第２のエッジ点灯フラットパネルのみを照明又は選択的に照明するように構成及び配置される、請求項７記載の反復照明器具。
【請求項９】
光源がＰＣＢ含有発光ダイオードのストリップを含む、請求項６記載の反復照明器具。
【請求項１０】
反復照明器具のためのエッジ点灯フラットパネルであって、エッジ点灯フラットパネルが、
透光性材料で形成された基板であって、第１の平面と、第１の平面と反対側でかつ第１の平面から離隔した第２の平面と、第２の平面と結合した光学素子とを含む基板
を備えており、
光学素子が、像の少なくとも一部の所望の形状を形成するとともにその第１の平面を通してエッジ点灯フラットパネル内で配光される光を反射するよう構成されている、エッジ点灯フラットパネル。
【発明の詳細な説明】
【技術分野】
【０００１】
本発明の分野は、一般に、反復照明に関し、より詳しくは、光導波伝送路における発光ダイオード（ＬＥＤ）からの光を混合するエッジ点灯フラットパネル反復照明器具に関する。
【背景技術】
【０００２】
交通用、歩行者用及び／又は他の信号として動作する商業用及び／又は公共用照明器具は、断続的にオンとオフとを繰り返す。かかる装置は反復照明器具とも呼ばれ、製造及び動作にコストがかかる傾向がある。それらはまた、支柱及びその他の支持具で相当なスペースを占める傾向がある。
【先行技術文献】
【特許文献】
【０００３】
【特許文献１】米国特許出願公開第２０１１／１９４１６７号明細書
【発明の概要】
【０００４】
本明細書で説明及び／又は示す実施形態は、反復照明器具のためのエッジ点灯フラットパネルである。エッジ点灯フラットパネルは、透光性材料で形成される基板を含む。基板は、第１の平面と、第１の平面と反対側でかつ第１の平面から離隔した第２の平面と、第２の平面と結合した光学素子とを有する。光学素子は、像の少なくとも一部の所望の形状を形成するよう配置され、第１の平面を通るエッジ点灯フラットパネル内に届いた光を反射するよう構成される。
【０００５】
また、本明細書で説明及び／又は示す実施形態におけるエッジ点灯フラットパネル反復照明器具は、従来技術より薄く、エネルギー効率が高く、さらにより高いルーメンで出力することを可能にする。
【０００６】
一実施形態において、重層エッジ点灯フラットパネルは、交互に照らされた１以上の像を再生するよう構成される。各パネルは、透光性材料（例えば、プラスチック又はガラス）で作られており、導波伝送路として機能する。この透光性材料は、着色剤を含有してもよい。パネルは、第１の平面と、第１の平面と反対側でかつ第１の平面から離隔した第２の平面と、第２の平面と結合した光学素子とを備える。パネルのエッジは、第１の平面及び第２の平面に接続され、各パネルの周辺部で連続的なエッジを形成する。相対する第１及び第２の表面で、パネルの表面領域のほとんどを構成してもよい。
【０００７】
各パネルの第２の平面は、像の任意の所望の形状を照らすよう配置される光学素子を備える。像は、パネルの１以上の平面上で、全体又は一部が形成され得る。像は、パネルと結合した１以上の光源が共に点灯した場合、個別に及び／又はさまざまな組み合わせ、並びに／もしくは電力設定で表示される。光学素子は、光源から放出されてパネルを通る光を反射し、光は、パネルの第１の平面を出て、照明像を形成及び投射する。
【０００８】
光源は、１以上のエッジ点灯フラットパネルと結合してもよい。一実施形態において、各パネルは、パネルのエッジを通ってパネルに入る独自の光源を有する。例示的な光源は、パネルの特定の光学素子のみを照らす、発光ダイオード（ＬＥＤ）を備える帯状のＰＣＢの形状としてもよい。光源と結合した１以上の光学素子は、ビューアーが観測可能な所望の方向の導波伝送路の光出力面から光が出るよう構成される。
【０００９】
他の実施形態において、少なくとも２つのパネルを、互いの上面で重ね合わせ、異なる形状を生成することができる。これらの少なくとも２つのパネルの１つ又は複数は、パネルが重ねられた場合に交差する両方の形状の領域を画成する１以上の交差光学素子を備えてもよい。交差光学素子と結合するパネルは、形状及び／又は色を同時に切り替えることができる。かかるパネルは、２種類以上の光源を備えることができ、かかる光源には、例えば、照明像が要求に応じて及び／又は所定の定期的な間隔で変化することを可能にする発光ダイオード（ＬＥＤ）がある。照明像を変化することには、形状のみを変えること、色のみを変えること、又は形状と色との両方を変えることを含むことができる。
【００１０】
ここで、添付図面を簡潔に参照する。
【図面の簡単な説明】
【００１１】
【図１】ビューアーに向けて第１の像を投射するように照明された反復照明器具の一実施形態の平面図である。
【図２】ビューアーに向けて第２の像を提示するように照明された図１の実施形態の反復照明器具の平面図である。
【図３】図１及び図２の実施形態の反復照明器具を構成部品に分解した分解斜視図であり、図１のようにビューアーに向けて第１の像を投射するように照明されている。
【図４】図１及び図２の実施形態の反復照明器具を分解した構成部品の分解斜視図であり、図２のように第２の像がビューアーに向けて投射されるように照明されている。
【図５】反復照明器具のフラットパネル導波伝送路の構成部品の一実施形態を示す平面図であり、フラットパネル導波伝送路の構成部品は、図１及び図３のようにビューアーに向けて投射される第１の像の一部を形成するよう配置及び／又は構成された１以上の光学素子と結合する。
【図６】図５の反復照明器具のフラットパネル導波伝送路の構成部品の矢視６−６部分拡大断面図である。
【図７】図９の反復照明器具の構成部品の矢視７−７部分的断面平面図である。
【図８】光源の一実施形態を示す平面図である。
【図９】図１の反復照明器具の構成部品の矢視９−９部分切欠・部分断面拡大図である。
【図１０】図２の反復照明器具の構成部品の矢視１０−１０部分切欠・部分断面拡大図である。
【発明を実施するための形態】
【００１２】
本明細書で使用する場合、コヒーレント像とは、認識可能な物体又は言語のいずれかの視覚的表現である。物体は、生物又は非生物のいずれかとすることができ、記号又は図形で表すことができる。言語は、アルファベット、数字、又はその両方とすることができ、単語、数字、頭文字、又は句のいずれかを形成することができ、１以上の単語、１以上の頭文字、１以上の数字、又は単語並びに／もしくは頭文字並びに／もしくは数字並びに／もしくは記号の何らかの組み合わせを含むことができる。
【００１３】
本明細書で使用する場合、第１の物体が第２の物体と共に視覚的に整列して配置される場合、どちらの物体も、ビューアーの視線内にあり、一方の物体が他方の物体で完全に隠れる場合であっても、ビューアーに近い物体は、ビューアーから離れる物体を完全に見えなくする。２つの物体のいずれも、部分的に、又は完全に透明及び／又は半透明とすることができる。
【００１４】
概して、フラットパネルが、互いと閲覧配置で、他方と上面を重ね合わせた場合でも、そうでない場合でも、エッジ点灯フラットパネル技術を使用して、所望の像を生成する。図１及び図２は、本明細書での歩行者（ＰＥＤ）と手を重ね合わせた場合の反復照明器具２０を使用して、本開示の例示的な実施形態及び／又は用途を図示する。しかしながら、本開示は、この例示的用途に限定されない。むしろ、１以上の形状を、本明細書で説明及び／又は例示するエッジ点灯フラットパネル及び／又はエッジ点灯フラットパネル照明器具の実施形態を使用して、表示及び／又は重ね合わせることができる実施形態及び／又は用途のすべてが、予期及び意図される。エッジ点灯フラットパネル及び／又はエッジ点灯フラットパネル照明器具の実施形態の他の用途の種類の非限定例には、歩行／非歩行信号、矢印信号、ｘ−信号、男性／女性手洗い場信号、建築現場信号、鉄道踏切信号、空港信号、鉄道信号、入口／出口標識、海運信号、航空信号及びイルミネーション標識などがある。
【００１５】
説明を簡単で分かりやすくするために、同じ例示的歩行者標識２０を、図１及び図２のそれぞれに及び図３及び図４の斜視図のそれぞれに示す。図３及び図４では、歩行者標識は、互いに分離及び離れた構成部品で示し、本開示の説明を容易にする。しかしながら、図１及び図３の表示では、人の手の第１の像２１は、数値が１秒ごとに変化して、標識２０によってビューアーに投射される第１の像が、図２及び図４で示す歩行者の第２の像２２に変わるまで、時間をカウントダウンし続けるよう照らされることが可能な、２桁数値ディスプレイ２４の脇で、照明状態で示される。言い換えると、反復光源２０は、１以上の像を表示することを可能にする。この特定例における２つ、すなわち、第１の像及び第２の像は、第１の像とは異なる及び／又は第１の像上に重ねられる。第１の像は、第１のコヒーレント像とすることができ、「コヒーレント」は、上記で定義される。第２の像は、第２のコヒーレント像とすることができ、「コヒーレント」は、上記で定義される。
【００１６】
同様に、図２及び図４では、歩行者の第２の像２２は、反復照明器具２０によってビューアーに投射される第２の像が、図１及び図３で示した第１の像、例えば、歩行者に歩行を控えるよう注意する手の像に変わるまで、時間をカウントダウンし続けるよう照らされることが可能な、２桁数値ディスプレイの脇で、照明状態で示される。
【００１７】
反復照明器具２０の一実施形態は、電源が供給された場合に、オンとオフを断続的に繰り返すよう動作し、それにより、所望の方向に、少なくとも２つの異なる照明像を連ねて投射するよう構成することができる。反復照明器具は、少なくとも第１のエッジ点灯フラットパネルと第２のエッジ点灯フラットパネルとを備えることができる。各エッジ点灯フラットパネルは、透光性材料で作られた導波伝送路を画成する及び／又は導波伝送路と結合される。
【００１８】
図３及び図４は、図１及び図２の反復照明器具の例示的実施形態を示す断面図である。図３及び図４のそれぞれは、３枚の重ねられたパネル３１、３２及び３３を示す。各パネル３１、３２及び３３は、透光性材料で形成された平板基板を備え、各パネルに発射された光に対する光導波伝送路として機能するよう構成される。例えば図３及び図６に模式的に示すように、各エッジ点灯フラットパネル３１、３２及び３３は、エッジ３６に沿って互いに接続された一組みの相対平面３４及び３５によって画成される。以下、平面３４は、「第１の平面３４」又は「第１の表面３４」と称する。以下、平面３５は、「第２の平面３５」又は「第２の表面３５」と称する。
【００１９】
エッジ３６は、各パネル３１、３２及び３３の連続的な周縁部を形成及び／又は画成する。各パネル３１、３２及び３３は、望ましくは、例えば、透光性材料から製造され、かかる透光性材料の非限定の例には、合成樹脂、アクリル、ポリカーボネート、ＰＭＭＡ、又はガラスがある。共通の、又は異なる種類の透光性材料を使用して、パネル３１、３２及び３３のすべて、又はいくつかを形成することができる。平面３４及び３５で、各パネル３１、３２及び３３によって画成される表面領域の比較的小さな部分で画成される観測可能な表面領域のほとんどを構成してもよい。
【００２０】
例えば図６に模式的に示すように、パネル３３は、第２の平面３５と相対して位置する第１の平面３４を有する。側面又は断面で見ると分かるように、パネル３３のエッジ３６は、第１の平面３４を、第２の平面３５と接続する。図１、図２、図３、図４、図５及び図６に示す例では、エッジ３６は光透過性である。以下で説明するように、光透過性エッジ３６と関連した光源は、光透過性エッジ３６を通じて、パネル３３に光を投射する。その後、内部反射により、パネル３３全体にわたって光透過性エッジ３６を通ってパネル３３に入る光を届け、届けられた光は、像を個別に、又は累積的に形成する、光学素子５０の１以上の領域を通って、パネル３３から出る。
【００２１】
反復照明器具２０の一実施形態は、光源に電力が供給された場合に、各パネル３１、３２及び３３の少なくとも１つの光透過性エッジ３６を通って光を投射するよう配置される光源を備えることが望ましい。例えば図８に模式的に示すように、各エッジ点灯フラットパネルの各光源の一実施形態は、複数の発光ダイオード（ＬＥＤ）４１、４２及び４３を備えることが望ましい。例えば図８に模式的に示すように、ＬＥＤ４１、４２及び４３は、薄い帯状の金属コアプリント回路板（ＭＣ−ＰＣＢ）に形成されることが望ましい搬送部材４０上に取り付けられる。例えば図８、図９及び図１０で示す実施形態では、各それぞれのパネル３１、３２及び３３は、ＬＥＤ４１、４２及び４３の、専用の分離した各列４５、４６及び４７を有して設けられる。さらに、ＬＥＤ４２の列４６は、第１の色とすることができ、ＬＥＤ４３の列４７は、第２の色とすることができる。さらに、ＬＥＤ４１の列４５は、第１の色のいくつかのＬＥＤ４１及び第２の色のいくつかのＬＥＤ４１で構成することができ、さらに、列４５におけるＬＥＤ４１は、列４５の一端から列４５の他端に、その２色を交互に配置することができる。
【００２２】
しかしながら、放電ランプか、又は一般に、エレクトロルミネッセンス素子などの電光素子とも称される、複数の光電素子などの別の光源を使用することもできる。ＬＥＤ４１の光源輝度は、蛍光管の光源輝度の数倍高い。さらに、多くのＬＥＤを使用する場合、光が導波伝送路パネル３１、３２及び３３内に結合される効率は、蛍光管の場合よりも高い。ＬＥＤはほとんど熱を放出せず、有害（ＵＶ）放射もない。したがって、光源としてＬＥＤ４１を使用することは、ＬＥＤ４１、４２及び４３が、合成樹脂で作成可能なパネル３１、３２及び３３の光透過性エッジ３６に対して隣接することができるという利点を有する。ＬＥＤを使用することは、導波伝送路として機能する、ＬＥＤ４１、４２及び４３を起点とする光をパネル３１、３２及び３３に結びつける手段が必要なくなるという、さらなる利点を有する。したがって、ＬＥＤを使用することは、これまでに利用可能であったものよりも、よりコンパクトな反復照明器具２０を実現する。さらに、ＬＥＤが、金属コアプリント回路板（ＭＣ−ＰＣＢ）上に取り付けられた場合、ＬＥＤにより生成される熱は、ＰＣＢを介して熱伝導によって容易に拡散することができる。
【００２３】
本発明のさまざまな実施形態は、所望のビューアーによって見られることが期待される、照らされたコヒーレント像の少なくとも一部の所望の形状を規定する光学素子を備える。例えば図５及び図６に模式的に示すように、光学素子５０は、第２の平面３５の領域に沿って、パネル３１、３２及び３３内に配列及び配置されて、像の所望の形状（又は、像の一部の所望の形状）を画成することが望ましい。パネル３１、３２及び３３の第１の平面３４は、光学素子５０から反射された光が出て行くことを可能にするよう構成される。図６及び図１０の断面図に模式的に示すように、各パネル３３の光学素子５０は、導波伝送路パネル３３に入る光を抽出し、パネル３３の第１の平面３４の外に光を導く反射面５１のパターンによって画成されることが望ましい。したがって、光学素子５０は、パネル３３の第２の平面３５内に画成され、パネル３３の光透過性エッジ３６に入る光を、所望の方向に向けて、すなわち、所期のビューアーの方向に、パネル３３の第１の平面３４から放出させるよう構成される。したがって、光学素子５０によって画成される領域は、ビューアーの目に向けて照らされ、この例では歩行者である第２の像２２の少なくとも一部を画成する。
【００２４】
例えば図４に模式的に示すように、反復照明器具２０の一実施形態は、少なくとも、第１のエッジ点灯フラットパネル３１及び第２のエッジ点灯フラットパネル３２を備えることができることが望ましい。第１のエッジ点灯フラットパネル３１の第１の平面３４の少なくとも一部は、第２のエッジ点灯フラットパネル３２の第１の平面３４の少なくとも一部と重なる。例えば図１０に模式的に示すように、第１のエッジ点灯フラットパネル３１の第２の平面３５上で１以上の領域に沿って配列及び配置された光学素子５０は、第１のエッジ点灯フラットパネル３１の像の１以上の所望の形状を画成する。
【００２５】
例えば図１０に模式的に示すように、第１のエッジ点灯フラットパネル３１の光学素子５０は、第１のエッジ点灯フラットパネルの導波伝送路３１に入る光（矢印５２で示す）が、所期のビューアーの所望の方向に向けて、第１のエッジ点灯フラットパネル３１の第１の平面３４から（矢印５３で示すように）出るよう構成される。同様に、例えば図１０に模式的に示すように、第２のエッジ点灯フラットパネル３２の第２の平面３５上で１以上の領域に沿って配列及び配置された光学素子５０は、第２のエッジ点灯フラットパネル３２の照射像の１以上の所望の形状を画成する。例えば図１０に模式的に示すように、第２のエッジ点灯フラットパネル３２の光学素子５０は、パネル３２に入る光（矢印５４で示す）が、所期のビューアーの所望の方向に向けて、第２のエッジ点灯フラットパネル３２の第１の平面３４から（矢印５５で示すように）出るよう構成される。さらに、第１のエッジ点灯フラットパネル３１のための光源のＬＥＤ４１及び第２のエッジ点灯フラットパネル３２のための光源のＬＥＤ４２は、図２及び図１０で模式的に示すように、どちらも点灯し、次いで、歩行者の第２の像２２が、反復照明器具２０のビューアーに向けて導かれる。
【００２６】
図２、図４及び図１０に模式的に示すように、第２のエッジ点灯フラットパネル３２の第１の平面３４の少なくとも一部は、第１のエッジ点灯フラットパネル３１の第１の平面３４の少なくとも一部と視覚的に整列して配置される。第１のエッジ点灯フラットパネル３１の光学素子５０は、歩行者の第２の像２２を完全には画成せず、第２のエッジ点灯フラットパネル３２の光学素子５０もまた、歩行者の第２の像２２を完全には画成しない。しかしながら、第１及び第２のエッジ点灯フラットパネル３１及び３２のそれぞれが、反復照明器具２０の光源の、各整列した列４５及び４６の各ＬＥＤによって照らされた場合、２つの部分像は、図２に示すような歩行者の照らされた第２の像２２に組み合わされる。第１のエッジ点灯フラットパネル３１のための光源の照明ＬＥＤ４１は、第２のエッジ点灯フラットパネル３２のための光源の照明ＬＥＤ４２と同じ色であり、その結果、第２の像２２が、同じ色で、ビューアーに表示されることが望ましい。しかしながら、第２の像２２の色は、希望であれば、２色以上にすることができる。
【００２７】
例えば図３に模式的に示すように、反復照明器具２０の一実施形態は、少なくとも、第１のエッジ点灯フラットパネル３１及び第２のエッジ点灯フラットパネル３２に加えて、少なくとも第３のエッジ点灯フラットパネル３３を備えることができることが望ましい。第１のエッジ点灯フラットパネル３１の第１の平面３４の少なくとも一部は、第３のエッジ点灯フラットパネル３３の第１の平面３４の少なくとも一部と重なる。
【００２８】
例えば図９に模式的に示すように、第１のエッジ点灯フラットパネル３１の第２の平面３５上で１以上の領域に沿って配列及び配置された光学素子５０は、第１のエッジ点灯フラットパネル３１の像の１以上の所望の形状を画成する。例えば図９に模式的に示すように、第１のエッジ点灯フラットパネル３１の光学素子５０は、第１のエッジ点灯フラットパネルの導波伝送路３１に入る光（矢印５２で示す）が、所期のビューアーの所望の方向に向けて、第１のエッジ点灯フラットパネル３１の第１の平面３４から（矢印５３で示すように）出るよう構成される。同様に、例えば図９に模式的に示すように、第３のエッジ点灯フラットパネル３３の第２の平面３５上で１以上の領域に沿って配列及び配置された光学素子５０は、第３のエッジ点灯フラットパネル３３の像の１以上の所望の形状を画成する。
【００２９】
例えば図９に模式的に示すように、第３のエッジ点灯フラットパネル３３の光学素子５０は、第３のエッジ点灯フラットパネルの導波伝送路３３に入る光（矢印５６で示す）が、所期のビューアーの所望の方向に向けて、第３のエッジ点灯フラットパネル３３の第１の平面３４から（矢印５７で示すように）出るよう構成される。さらに、第１のエッジ点灯フラットパネル３１のための光源のＬＥＤ４１及び第３のエッジ点灯フラットパネル３３のための光源のＬＥＤ４３は、図１及び図９で模式的に示すように、どちらも点灯し、次いで、人の手の第１の像２１が、反復照明器具２０のビューアーに向けて導かれる。
【００３０】
図１、図３及び図９に模式的に示すように、第３のエッジ点灯フラットパネル３３の導波伝送路の第１の平面３４の少なくとも一部は、第１のエッジ点灯フラットパネル３１の導波伝送路の第１の平面３４の少なくとも一部と視覚的に整列して配置される。第１のエッジ点灯フラットパネル３１の光学素子５０は、第１の像２１を完全には画成せず、第３のエッジ点灯フラットパネル３３の光学素子５０は、第１の像２１を完全には画成しない。しかしながら、第１及び第３のエッジ点灯フラットパネル３１及び３３のそれぞれが、反復照明器具２０の光源の、各整列した列４５及び４７の各ＬＥＤによって照らされた場合、２つの部分像は、図１に示すような人の手の照らされた第１の像２１に組み合わされる。第１のエッジ点灯フラットパネル３１のための光源の照明ＬＥＤ４１は、第３のエッジ点灯フラットパネル３３のための光源の照明ＬＥＤ４３と同じ色であり、その結果、第１の像２１が、同じ色で、ビューアーに表示されることが望ましい。しかしながら、第１の像２１の色は、希望であれば、２色以上にすることができる。
【００３１】
図１、図２、図３、並びに図４及び図７、図８、図９並びに図１０に示すような反復照明器具２０の一実施形態において、パネル３１、３２及び３３のそれぞれは、他のパネル３１、３２及び３３のそれぞれと、閲覧可能に配置される。さらに、フロントパネルは、器具２０によって表示される形状及び色を反復切り替えすることが可能な、交差光学素子５０を備える導波伝送路３１を備えることが望ましい。第１のパネル３１の交差光学素子５０は、第２のパネル３２の光学素子によって生成された像と組み合わされた場合に、第２の像２２を生じ、第３のパネル３３の光学素子によって生成された像と組み合わされた場合に、他の第１の像２１を生じる像を生成し、第２の像２２とは形状及び／又は位置が異なることが望ましい。
【００３２】
交差光学素子５０を有するパネル３１は、２つ以上の種類のＬＥＤを備える光源を備え、照明像の色を２色以上の色の間で変えることができることが望ましい。しかしながら、両方の像を同じ色にする用途では、１種類のみのＬＥＤでよい。例えば図８に模式的に示すように、反復照明器具２０の光源は、２色を備えるＬＥＤ４１の列４５を有し、その結果、各他のＬＥＤ４１は、第１の色の光を生成し、残りのＬＥＤ４１は、第２の色の光を生成する。したがって、反復照明器具２０は、第１の色を生成するＬＥＤが電力供給されることが可能なように構成することができ、一方で、電力は、第２の色の光を生成する残りのＬＥＤ４１には供給されない。同様に、反復照明器具２０は、第２の色の光を生成する同じ列４５にあるＬＥＤが電力供給されることが可能なように構成され、一方で、電力は、第１の色の光を生成する残りのＬＥＤ４１には供給されない。そうすることにより、第１及び第２の像２１及び２２は、交互に照らされ、第１の像２１は、第２の像２２の色とは異なる色で、反復照明器具２０のビューアーに表示される。
【００３３】
さらに、反復照明器具２０の光源への電力供給を、２つの動作モード間で交互に変えることによって、反復照明器具２０は、第１の像２１と第２の像２２とを交互に切り替えるよう構成することができる。したがって、反復照明器具２０の光源は、第１及び第３のエッジ点灯フラットパネル３１及び３３又は第１及び第２のエッジ点灯フラットパネル３１及び３２を選択的に照らすように構成及び配置される。動作中の反復照明器具２０の第１の照明モードでは、設定された期間、第１の像２１が照らされ、一方、第２の像２２は照らされない。動作中の反復照明器具２０の第２の照明モードでは、設定された期間、第２の像２２が照らされ、一方、第１の像２１は照らされない。第１の照明モードで動作して、図１、図３及び図９の第１の像２１を照らす場合、電力は、第１の色の光を生成する第１の列４５のＬＥＤ４１及び列４７における同じ第１の色の光を生成するＬＥＤ４３のみに供給される。第２の照明モードで動作して、図２、図４及び図１０の第２の像２２を照らす場合、例えば図７及び図８に模式的に示すように、電力は、第２の色の光を生成する第１の列４５のＬＥＤ４１及び列４６における同じ第２の色の光を生成するＬＥＤ４２のみに供給される。
【００３４】
例えば図３及び図４に模式的に示すように、反復照明器具２０は、パネル３１、３２及び３３のそれぞれと、搬送部材４０上に取り付けられたＬＥＤ４１、４２及び４３を備える光源とを搬送する基板６０を備えることができる。基板６０はまた、パネル３１、３２及び３３の積層体及び光源のための搬送部材４０の脇で時間表示２４をもたらすよう構成及び配置することができることが望ましい。さらに、基板６０は、ＬＥＤ４１、４２及び４３と、時間表示２４とに電力を供給することを容易にするために、プリント回路板として形成されることが望ましい。
【００３５】
図中の特徴について言及するために、参照符号及び文字表示を用いて詳細に記述する。図面及び記述における同様又は類似の名称は、本発明の同様又は類似の部分について言及するために使用されている。
【００３６】
各例は、本発明の説明のために提供され、本発明を限定するものではない。実際に、本発明の範囲及び主旨から逸脱することなく、本発明で変形及び変更を行うことが可能であることは、当業者には明らかであろう。例えば、一実施形態の一部として図示又は説明された特徴は、他の実施形態で使用され、さらに他の実施形態を生成することができる。したがって、本発明は、添付の特許請求の範囲及びその同等物の範囲内に入るような変形及び変更を包含することを意図する。
【００３７】
本明細書は最良の形態を含む本発明を開示するため及び、あらゆるデバイス又はシステムを製作し、並びに使用し及びあらゆる組込方法を実行することを含む任意の当業者が本発明を実施することを可能にするための例を用いる。本発明の特許可能な範囲は、特許請求の範囲によって定義され、当業者が想到するその他の実施例を含むことができる。かかる他の例は、特許請求の範囲の文言と異ならない構造的な要素を有する場合、又は特許請求の範囲の文言とわずかに異なる同等の構造的な要素を含む場合、特許請求の範囲内にあることを意図する。
【符号の説明】
【００３８】
２０  反復照明器具
２１  第１の像
２２  第２の像
２４  ２桁数値ディスプレイ
３１  エッジ点灯フラットパネル
３２  エッジ点灯フラットパネル
３３  エッジ点灯フラットパネル
３４  平面
３５  平面
３６  エッジ
４０  搬送部材
４１  発光ダイオード（ＬＥＤ）
４２  発光ダイオード（ＬＥＤ）
４３  発光ダイオード（ＬＥＤ）
４５  列
４６  列
４７  列
５０  光学素子
５１  反射面
６０  基板
【図１】
2015515645.tif 000003
【図２】
2015515645.tif 000004
【図３】
2015515645.tif 000005
【図４】
2015515645.tif 000006
【図５】
2015515645.tif 000007
【図６】
2015515645.tif 000008
【図７】
2015515645.tif 000009
【図８】
2015515645.tif 000010
【図９】
2015515645.tif 000011
【図１０】
2015515645.tif 000012
【国際調査報告】
2015515645.tif 000013
2015515645.tif 000014